(57)【要約】      （修正有）【課題】使用状況に応じて適切な範囲を仕切ることができるとともに、保管、運搬時等の利便性を向上させることができる対面式飛沫シールドを提供する。【解決手段】対面式飛沫シールドは、幅方向に連設されるとともに、相互に厚み方向に重ね合わされた折畳状態と幅方向に展開された展開状態とに切換可能に構成された複数枚の立設パネル１０、２０、３０、４０を備える。立設パネル１０、２０、３０、４０は、紙製シートから構成されるとともに窓部Ｐｗを有するパネル本体Ｐ１、Ｐ２、Ｐ３、Ｐ４と、窓部Ｐｗを閉塞するようにパネル本体に取り付けられた透明シートＳ１、Ｓ２、Ｓ３、Ｓ４とを具備する。窓部Ｐｗの外縁は、折畳状態において互いに重なる。【選択図】図１
0003230372.tif 000002
【実用新案登録請求の範囲】
【請求項１】
幅方向に連設されるとともに、相互に厚み方向に重ね合わされた折畳状態と前記幅方向に展開された展開状態とに切換可能に構成された複数枚の立設パネルを備え、
前記立設パネルは、紙製シートから構成されるとともに窓部を有するパネル本体と、前記窓部を閉塞するように前記パネル本体に取り付けられた透明シートとを具備し、
前記窓部の外縁は、前記折畳状態において互いに重なる、
対面式飛沫シールド。
【請求項２】
前記パネル本体の厚み方向に延びる板状脚部を更に備え、
前記パネル本体は、前記折畳状態において前記厚み方向に互いに連通するとともに前記板状脚部を緊密状態に差し込み可能な切欠きが下端部に設けられている、
請求項１に記載の対面式飛沫シールド。
【請求項３】
前記パネル本体は、下端部における幅方向中央部に前記パネル本体の厚み方向に連通するとともに前記幅方向に扁平な連通切欠きが設けられ、
前記連通切欠きの外縁は、前記折畳状態において互いに重なる、
請求項１又は請求項２に記載の対面式飛沫シールド。
【請求項４】
前記透明シートは、厚さ１００μｍ〜２００μｍの薄膜フィルムから構成されている、
請求項１ないし請求項３のいずれか一項に記載の対面式飛沫シールド。
【請求項５】
前記透明シートは、前記パネル本体の一方面における前記窓部の周縁部に着脱可能に接着されている、
請求項１ないし請求項４のいずれか一項に記載の対面式飛沫シールド。
【請求項６】
前記パネル本体は、表裏一対のユニットパネルを含み、
前記透明シートは、前記ユニットパネルの間に配設されている、
請求項１ないし請求項４のいずれか一項に記載の対面式飛沫シールド。
【考案の詳細な説明】
【技術分野】
【０００１】
本考案は、接客などの業務等において、人と人との間に設置して空間を仕切ることにより、飛沫の飛散を抑制する対面式飛沫シールドに関するものである。
【背景技術】
【０００２】
昨今、飛沫感染予防対策として、デスクやカウンターなどに、対面する相手との空間を仕切る対面式飛沫シールドを設置することがある。
【０００３】
この対面式飛沫シールドとして、例えば特許文献１に示すように、下端部に下窓が形成された矩形状の正面板と、この正面板の左右両側縁から背面側に延びる左右側面板と、前記正面板及び前記左右側面板の上端縁に取り付けられる上面板とを備え、これらの各面板が透明なアクリル板で構成されたものが知られている。この従来の対面式飛沫シールドは、特定の人の前方におけるテーブル面に設置され、前記特定の人と対面する相手との間の空間を仕切ることにより、視界を確保しつつ、双方からの飛沫が直接相手に飛散することを抑制して感染予防するものとなされている。
【先行技術文献】
【特許文献】
【０００４】
【特許文献１】実用新案登録第３２２６６６７号公報
【考案の概要】
【考案が解決しようとする課題】
【０００５】
しかしながら、従来の対面式飛沫シールドでは、形状が定まっているため、仕切る範囲も固定化され、仕切る範囲を柔軟に変更することができず、隣り合う二人ずつが対面する場合などには複数の対面式飛沫シールドを用意する必要があった。しかも、従来の対面式飛沫シールドでは、形状が定まっているため、嵩張り、コンパクトに収納することができなかった。
【０００６】
また、この対面式飛沫シールドは、透明なアクリル板により構成されているので、視界は担保できるものの、比較的重く、持ち運び時などの取扱いが不便であった。
【０００７】
本考案は、上記従来の問題点に鑑みてなされたものであり、使用状況に応じて適切な範囲を仕切ることができるとともに、保管、運搬時等の利便性を向上させることができる対面式飛沫シールドを提供することを目的とする。
【課題を解決するための手段】
【０００８】
本考案の一局面に係る対面式飛沫シールドは、幅方向に連設されるとともに、相互に厚み方向に重ね合わされた折畳状態と前記幅方向に展開された展開状態とに切換可能に構成された複数枚の立設パネルを備え、前記立設パネルは、紙製シートから構成されるとともに窓部を有するパネル本体と、前記窓部を閉塞するように前記パネル本体に取り付けられた透明シートとを具備し、前記窓部の外縁は、前記折畳状態において互いに重なる。
【０００９】
前記対面式飛沫シールドによれば、前記折畳状態と前記展開状態とに切換可能に構成された複数枚の立設パネルを備えるので、仕切る範囲に応じて各立設パネルを折畳状態と展開状態とに切り換えて使用することができ、適切な範囲で空間を仕切ることができる。このため、対面時等における飛沫の飛散を効果的に抑制することができるとともに、立設パネルを折畳状態として収納することにより嵩張らずコンパクトに収納することができる。また、前記立設パネルは、紙製シートから構成されるとともに窓部を有するパネル本体と、前記透明シートとを具備するので、軽量に構成することができ、持ち運びの利便性が向上する。さらに、パネル本体が紙製シートから構成された場合には視界が遮られる懸念があるが、パネル本体は窓部を有するので、当該視界も担保することができる。しかも、この窓部の外縁は、前記折畳状態において互いに重なるので、前記立設パネルを折畳状態で使用する場合にでも前記窓部の機能を低下させることなく、適切な視界を保つことができる。なお、本明細書において、前記透明シートは、一定以上の全光線透過率及び一定以下のヘイズを有するシートをいい、半透明のシートなども含まれる。好ましくは、前記透明シートの全光線透過率は９０％以上である。前記透明シートのヘイズはおよそ４％以下であれば使用可能であるが、０．３％以下になると透明感が際立ち、特に好ましい。
【００１０】
前記対面式飛沫シールドの好ましい態様として、前記パネル本体の厚み方向に延びる板状脚部を更に備え、前記パネル本体は、前記折畳状態において前記厚み方向に互いに連通するとともに前記板状脚部を緊密状態に差し込み可能な切欠きが下端部に設けられている。
【００１１】
このように構成すれば、前記パネル本体は、前記切欠きが下端部に設けられているので、前記立設パネルを折畳状態で使用する場合にでも、前記板状脚部を前記各切欠きに一括して緊密に差し込むことができる。このため、この対面式飛沫シールドにおいては、折畳状態においても前記板状脚部を利用することにより前記立設パネルを安定して起立させることができ、飛沫の飛散をより効果的に抑制することができる。加えて、前記切欠きに板状脚部が緊密状態に差し込まれることにより、各パネル本体が折畳状態から不測に展開状態に移行することを抑制することができ、立設パネルの折畳状態を安定して保持することができる。
【００１２】
前記対面式飛沫シールドの好ましい態様として、前記パネル本体は、下端部における幅方向中央部に前記パネル本体の厚み方向に連通するとともに前記幅方向に扁平な連通切欠きが設けられ、前記連通切欠きの外縁は、前記折畳状態において互いに重なる。
【００１３】
このように構成すれば、前記パネル本体は、前記連通切欠きが設けられているので、この扁平な連通切欠きを通じて書類などの物品のやりとりを対面する相手との間で行うことができる。このため、この対面式飛沫シールドにおいては、飛沫の飛散を適切に抑制しつつ、対面する相手との物品のやり取りを行うことができ、利便性の向上を図ることができる。しかも、この連通切欠きの外縁は前記折畳状態において互いに重なるので、前記立設パネルを折畳状態で使用する場合にでも、前記連通切欠きの機能を低下させることなく、物品のやりとりを行うことができる。
【００１４】
前記対面式飛沫シールドの好ましい態様として、前記透明シートは、厚さ１００μｍ〜２００μｍの薄膜フィルムから構成されている。
【００１５】
このように構成すれば、対面式飛沫シールドを更に軽量に構成することができ、持ち運びが一層容易となる。しかも、対面する相手との間に立設パネルが介在すると、声などの音の伝搬の悪化が懸念されるが、前記透明シートが薄膜フィルムから構成されているので、前記薄膜フィルムを通じて声などの音を支障なく伝えることができ、前記相手との間で円滑に会話することができる。
【００１６】
前記対面式飛沫シールドの好ましい態様として、前記透明シートは、前記パネル本体の一方面における前記窓部の周縁部に着脱可能に接着されている。
【００１７】
このように構成すれば、前記透明シートは、飛沫や汚れなどが付着して汚染された場合でも、容易に取り替えられることができる。
【００１８】
前記対面式飛沫シールドの異なる態様として、前記パネル本体は、表裏一対のユニットパネルを含み、前記透明シートは、前記ユニットパネルの間に配設されている。
【００１９】
このように構成すれば、前記透明シートが前記窓部においてのみ露出するような形態となり、対面式飛沫シールドとしての見栄えが良好となる。また、各透明シートは、折畳状態において、ユニットパネルの厚みに相当する間隔をおいて配置されることとなるので、互いに接触することがない。
【考案の効果】
【００２０】
したがって、本考案に係る対面式飛沫シールドによれば、使用状況に応じて適切な範囲を仕切ることができるとともに、保管、運搬時等の利便性を向上させることができる。
【図面の簡単な説明】
【００２１】
【図１】本考案の実施の形態に係る対面式飛沫シールドの複数枚のパネルの完全展開状態における正面図である。
【図２】本考案の実施の形態に係る対面式飛沫シールドの複数枚のパネルの完全折畳状態における正面図である。
【図３】図１におけるＩＩＩ−ＩＩＩ線断面図であり、本考案の実施の形態に係る対面式飛沫シールドのユニットパネル及び透明シートの断面図である。
【図４】（ａ）は、本考案の実施の形態に係る対面式飛沫シールドの第１の形態の板状脚部の正面図であり、（ｂ）は、第２の形態の板状脚部の正面図である。
【図５】本考案の実施の形態に係る対面式飛沫シールドの第３の形態の板状脚部の斜視図である。
【図６】本考案の実施の形態に係る対面式飛沫シールドの完全折畳状態（第１折畳状態）での使用状態を示す斜視図である。
【図７】本考案の実施の形態に係る対面式飛沫シールドの第２折畳状態での使用状態を示す斜視図である。
【図８】本考案の実施の形態に係る対面式飛沫シールドの完全展開状態（第１展開状態）での使用状態を示す斜視図である。
【図９】本考案の実施の形態に係る対面式飛沫シールドの第２展開状態での使用状態を示す斜視図である。
【図１０】本考案の実施の形態に係る対面式飛沫シールドの第３展開状態での使用状態を示す斜視図である。
【考案を実施するための形態】
【００２２】
本考案の好ましい実施の形態を、図面を参照しながら説明する。なお、本明細書において、方向については、立設パネルを基準として定義する。また、本明細書において、「対面」とは、人と人とが正面同士で互いに向かい合っている状態のみを意味するものではなく、人と人とが正面からずれた位置、すなわち斜向かいの位置で向かい合っている状態を含んで意味するものである。また、本明細書において、「透明」とは、ヘイズが０％であるような完全な透明状態のみを意味するものではなく、対象物を挟む人と人とが互いに離れた位置から相手の存在を確認できる程度の透明度を有している状態を意味するものである。また、本実施の形態において、立設パネルの枚数が４枚であることを前提として説明を行うが、「折畳状態」とは、４枚の立設パネルのうちの少なくとも一部の立設パネルが厚み方向に重なり合っている状態を意味するものであり、特に、「完全折畳状態」とは、４枚の立設パネルが厚み方向に重なり合っている状態を意味するものである。また、本実施の形態において、「展開状態」とは、４枚の立設パネルが厚み方向に重なり合っていない状態を意味するものであり、特に「完全展開状態」とは、４枚の立設パネルが幅方向に一直線状に並ぶように展開している状態を意味するものである。
【００２３】
対面式飛沫シールド１は、図１及び図４に示すように、第１の立設パネル１０、第２の立設パネル２０、第３の立設パネル３０及び第４の立設パネル４０と、複数の板状脚部５０と、を備える。以下、第１の立設パネル１０、第２の立設パネル２０、第３の立設パネル３０及び第４の立設パネル４０をまとめて、「４枚の立設パネル１０、２０、３０及び４０」と呼称する場合がある。
【００２４】
４枚の立設パネル１０、２０、３０及び４０は、それぞれ、対面式飛沫シールド１の使用者と対面者との間において、テーブルなどの上面（以下、「設置面」という。符号なし。）に立設されて空間を仕切るパネルである。４枚の立設パネル１０、２０、３０及び４０は、それぞれ、幅方向に連設されている。４枚の立設パネル１０、２０、３０及び４０は、それぞれ、相互に厚み方向に重ね合わされた完全折畳状態と幅方向に展開された完全展開状態とに切換可能に構成されている。
【００２５】
第１の立設パネル１０は、第１のパネル本体Ｐ１と、第１の透明シートＳ１と、を具備する。第２の立設パネル２０は、第２のパネル本体Ｐ２と、第２の透明シートＳ２と、を具備する。第３の立設パネル３０は、第３のパネル本体Ｐ３と、第３の透明シートＳ３と、を具備する。第４の立設パネル４０は、第４のパネル本体Ｐ４と、第４の透明シートＳ４と、を具備する。第１の立設パネル１０、第２の立設パネル２０、第３の立設パネル３０及び第４の立設パネル４０は、互いに同じ構成を備えているので、以下、第１の立設パネル１０について説明することとする。
【００２６】
第１のパネル本体Ｐ１は、紙製シートから構成されている。具体的には、第１のパネル本体Ｐ１は、図３に示すように、段ボールシートからなる表裏一対のユニットパネルＰｕを含む。第１のパネル本体Ｐ１は、表裏一対のユニットパネルＰｕが厚み方向に第１の透明シートＳ１を挟みながら重なり合った状態で接着されて形成されている。第１のパネル本体Ｐ１は、幅方向及び高さ方向について、対面者との間で飛沫の飛散を抑制するのに必要な大きさを有している。第１のパネル本体Ｐ１は、図１及び図２に示すように、下端部Ｐｂと、下端部Ｐｂの上側に配設されるフレーム部Ｐｆと、を有する。
【００２７】
下端部Ｐｂは、その下面の少なくとも一部が設置面に接触してフレーム部Ｐｆを立設状態に保持する部分である。下端部Ｐｂには、折畳状態において厚み方向に互いに連通する切欠きＰｂｃが設けられている。切欠きＰｂｃは、板状脚部５０を緊密状態に差し込み可能としている。具体的には、切欠きＰｂｃは、板状脚部５０の厚みと等しい幅で切り欠かれて形成されており、かつ、板状脚部５０の高さ、すなわち板状脚部５０の後述する下辺部５１から上辺部５２までの長さと等しい高さで切り欠かれて形成されている。切欠きＰｂｃは、下端部Ｐｂの幅方向の両端部近傍に一対に形成されている。４枚の立設パネル１０、２０、３０及び４０の下端部におけるそれぞれの切欠きＰｂｃの外縁は、折畳状態において互いに重なる。
【００２８】
下端部Ｐｂは、一対の切欠きＰｂｃを境として、幅方向の内側部分である内側下端部Ｐｂｉと、幅方向の外側部分である外側下端部Ｐｂоと、を有する。外側下端部Ｐｂｏは、内側下端部Ｐｂｉの下面に比べて、その下面の位置が若干高くなるように形成されている。具体的には、外側下端部Ｐｂоの下面の高さ位置には、内側下端部Ｐｂｉの下面の高さ位置と比較して、後述する板状脚部５０Ｂの底壁部５４の厚みに相当する高さが与えられている。これにより、図８に示すように対面式飛沫シールド１が完全展開状態で設置面に設置されたときに、内側下端部Ｐｂｉの下端面は設置面と接することができ、外側下端部Ｐｂоの下端面は切欠きＰｂｃに差し込まれた板状脚部５０Ｂの底壁部５４の上面に接することができる。
【００２９】
さらに、下端部Ｐｂ（内側下端部Ｐｂｉ）には、幅方向中央部に厚み方向に連通するとともに幅方向に扁平な連通切欠きＰｂａが設けられている。連通切欠きＰｂａは、対面式飛沫シールド１の使用者と対面者との間で書類などの物品のやり取りを可能とする。４枚の立設パネル１０、２０、３０及び４０の下端部Ｐｂ（内側下端部Ｐｂｉ）において、それぞれの連通切欠きＰｂａの外縁は、折畳状態において互いに重なる。連通切欠きＰｂａは、手を通すことによって書類などの物品のやり取りを可能とするのに必要な大きさを有しており、好ましくは、幅がＡ４用紙の幅よりも大きく、高さが掌の厚みよりも大きくなるような形状で形成されている。連通切欠きＰｂａは、下端部Ｐｂの幅方向両端部近傍に一対に形成されている切欠きＰｂｃの間に配置されている。
【００３０】
フレーム部Ｐｆは、第１の透明シートＳ１のフレームとして機能する部分である。フレーム部Ｐｆは、窓部Ｐｗを有し、窓部Ｐｗを閉塞するように第１の透明シートＳ１が取り付けられている。フレーム部Ｐｆは、４片部からなる枠形状を有し、高さ方向に延びる第１のフレーム片部Ｐｆ１と、第１のフレーム片部Ｐｆ１の上側に接続され幅方向に延びる第２のフレーム片部Ｐｆ２と、第２のフレーム片部の下側に接続され第１のフレーム片部Ｐｆ１と幅方向に対向する位置に高さ方向に延びる第３のフレーム片部Ｐｆ３と、第１のフレーム片部Ｐｆ１及び第３のフレーム片部Ｐｆ３の下側に接続され幅方向に延びる第４のフレーム片部Ｐｆ４と、を有する。第４のフレーム片部Ｐｆ４は、下端部Ｐｂの上側に配設されている。第１のフレーム片部Ｐｆ１において、第１の透明シートＳ１の幅方向一端部が表裏一対のユニットパネルＰｕの間に接着されている。同様に、第２のフレーム片部Ｐｆ２において第１の透明シートＳ１の上端部が、第３のフレーム片部Ｐｆ３において第１の透明シートＳ１の幅方向他端部が、第４のフレーム片部Ｐｆ４において第１の透明シートＳ１の下端部が、表裏一対のユニットパネルＰｕの間に接着されている。窓部Ｐｗは、使用者と対面者とが第１の立設パネル１０を挟んだ状態で互いの容姿を視認するのに必要な大きさを有している。
【００３１】
幅方向に連設されている第１のパネル本体Ｐ１と第２のパネル本体Ｐ２との境には、第１の折曲部Ｆ１が設けられている。具体的には、第１の折曲部Ｆ１は、第１のパネル本体Ｐ１の第３のフレーム片部Ｐｆ３と、第２のパネル本体Ｐ２の第１のフレーム片部Ｐｆ１との接続位置において設けられている。第１の折曲部Ｆ１を中心として、第１のパネル本体Ｐ１に対して第２のパネル本体Ｐ２が回動可能となっている。すなわち、第１の折曲部Ｆ１における折り曲げ角度は、第１のパネル本体Ｐ１と第２のパネル本体Ｐ２との相対角度に等しい。これにより、第１のパネル本体Ｐ１と第２のパネル本体Ｐ２とは、第１の折曲部Ｆ１を回動中心として、一方が他方に幅方向に向かって折り曲げられて厚み方向に重なり合った状態、すなわち折畳状態となることが可能となっており、かつ、幅方向に直線状に並ぶ状態、すなわち展開状態となることが可能となっている。本実施の形態では、第１の折曲部Ｆ１は、表裏一対のユニットパネルＰｕのうちの一方のユニットパネルＰｕに高さ方向に切れ目が入れられて形成されている。
【００３２】
同様に、幅方向に連設されている第２のパネル本体Ｐ２と第３のパネル本体Ｐ３との境には、第２の折曲部Ｆ２が設けられている。幅方向に連設されている第３のパネル本体Ｐ３と第４のパネル本体Ｐ４との境には、第３の折曲部Ｆ３が設けられている。第２の折曲部Ｆ２は、第１の折曲部Ｆ１が形成されているユニットパネルＰｕと反対側のユニットパネルＰｕに高さ方向に切れ目が入れられて形成されている。第３の折曲部Ｆ３は、第１の折曲部Ｆ１が形成されているユニットパネルＰｕと同じ側のユニットパネルＰｕに高さ方向に切れ目が入れられて形成されている。すなわち、第１の折曲部Ｆ１における折れ曲がり方を山折りとすると、第２の折曲部Ｆ２における折れ曲がり方は谷折りとなり、第３の折曲部Ｆ３における折れ曲がり方は山折りとなる。
【００３３】
対面式飛沫シールド１について、第１の折曲部Ｆ１、第２の折曲部Ｆ２及び第３の折曲部Ｆ３のそれぞれにおける折り曲げ角度が１８０度となることにより、４枚の立設パネル１０、２０、３０及び４０が互いに厚み方向に重なり合った状態、すなわち完全折畳状態となった様子が図２に示されている。図２に示すように、完全折畳状態では、４枚の立設パネル１０、２０、３０及び４０のそれぞれの窓部Ｐｗの外縁が互いに重なっている。具体的には、４枚の立設パネル１０、２０、３０及び４０のそれぞれの窓部Ｐｗの外縁が、厚み方向に見たときに一致している。より具体的には、第１のパネル本体Ｐ１、第２のパネル本体Ｐ２、第３のパネル本体Ｐ３及び第４のパネル本体Ｐ４のそれぞれの第１のフレーム片部Ｐｆ１、第２のフレーム片部Ｐｆ２、第３のフレーム片部Ｐｆ３及び第４のフレーム片部Ｐｆ４は、幅方向及び高さ方向について、互いにその位置を一致するように配置されている。また、完全折畳状態では、４枚の立設パネル１０、２０、３０及び４０のそれぞれの連通切欠きＰｂａの外縁が互いに重なっている。さらに、完全折畳状態では、４枚の立設パネル１０、２０、３０及び４０のそれぞれの切欠きＰｂｃは、厚み方向に互いに連通している。また、詳細には後述するが、対面式飛沫シールド１は、第１の折曲部Ｆ１、第２の折曲部Ｆ２及び第３の折曲部Ｆ３のそれぞれにおける折り曲げ角度を調整することにより、図６〜図１０のような様々な形態に変形することができる。
【００３４】
第１の透明シートＳ１は、厚さ１００μｍ〜２００μｍの薄膜フィルムから構成されている。第１の透明シートＳ１は、窓部Ｐｗを閉塞するのに必要な面積を有する。本実施の形態では，第１の透明シートＳ１は、ヘイズ０．３％であり、透明度が高いフィルムである。第１の透明シートＳ１は、バイオプラスチック素材を含み、焼却処理を行った場合の環境負荷が小さい。さらに、第１の透明シートＳ１は、菌・ウイルスなどの病原体が付着しづらい素材を含み、病原体が付着した場合に容易に拭き取られることができる。加えて、第１の透明シートＳ１は、耐傷付き性を有し、擦り疵がつきづらい。また、第１の透明シートＳ１は、耐光性を有し、紫外線による黄変が起こりづらい。また、第１の透明シートＳ１は、耐燃性を有し、着火しづらく、着火しても自己消火することができる。
【００３５】
板状脚部５０は、４枚の立設パネル１０、２０、３０及び４０がそれぞれ立設されることを補助するものである。本実施の形態では、対面式飛沫シールド１は、板状脚部５０と板状脚部５０Ａと板状脚部５０Ｂとを有する。これらの板状脚部５０、５０Ａ、５０Ｂは、４枚の立設パネル１０、２０、３０及び４０の展開状態に応じて適宜選択又は組み合わされて使用される。板状脚部５０は、図４（ａ）に示すように、一定の厚みを有する板状であり、かつ、立設パネルの幅方向に見た正面視において略矩形状である形状を有する。板状脚部５０は、下辺部５１と、下辺部５１から一定の高さ位置に設けられている上辺部５２と、を有する。板状脚部５０は、その長手方向を立設パネルの厚み方向に向けた状態で、４枚の立設パネル１０、２０、３０及び４０のそれぞれのパネル本体の下端部Ｐｂに設けられている切欠きＰｂｃに緊密状態に差し込まれることができる。
【００３６】
板状脚部５０は異なる形態を有していてもよく、板状脚部５０の第２の形態である板状脚部５０Ａには、図４（ｂ）に示すように、その長手方向の中間位置に高さ方向に切れ目が入れられて形成される折曲部５０ｆが設けられている。これにより、板状脚部５０Ａは、折曲部５０ｆを中心として折り曲げられて、Ｌ字状の形態となることができる。Ｌ字状の形態となった板状脚部５０Ａは、４枚の立設パネル１０、２０、３０及び４０のいずれかの折曲部Ｆ１、Ｆ２、Ｆ３における折り曲げ角度が直角となっている場合に、当該折曲部を挟むように隣接する切欠きＰｂｃに一括して緊密に挿入されることができ、当該折曲部における折り曲げ角度が直角となっている対面式飛沫シールド１の形態を安定して保持することができる。ただし、板状脚部５０Ａは、折曲部Ｆ１、Ｆ２、Ｆ３における折り曲げ角度が直角となっている場合のみに使用されるものではなく、折曲部５０ｆの角度、差し込み位置を調整することにより、折曲部Ｆ１、Ｆ２、Ｆ３における様々な折り曲げ角度に対応して、隣接する切欠きＰｂｃに一括して緊密に挿入されることができる。
【００３７】
板状脚部５０は更に異なる形態を有していてもよく、板状脚部５０の第３の形態である板状脚部５０Ｂは、図５に示すように、一対の縦壁部５３と、一対の縦壁部５３の下端部同士を接続する底壁部５４と、を有している。縦壁部５３の長手方向の中間位置に、縦壁部５３の上辺部５２から下方に切り欠かれて形成された切欠き５３ｃが設けられている。切欠き５３ｃの幅は、４枚の立設パネル１０、２０、３０及び４０のそれぞれのパネル本体の厚みに等しい。これにより、切欠き５３ｃには、パネル本体の下端部Ｐｂ（パネル本体の下端部Ｐｂのうちの切欠きＰｂｃよりも上側に位置する部分）が差し込まれることができる。縦壁部５３の高さは、４枚の立設パネル１０、２０、３０及び４０のそれぞれの切欠きＰｂｃの高さよりも大きい。底壁部５４の幅方向の長さは、４枚の立設パネル１０、２０、３０及び４０の複数の切欠きＰｂｃのうちの隣接する切欠きＰｂｃ同士の間隔、すなわち折曲部Ｆ１、Ｆ２、Ｆ３を挟むように隣接する切欠きＰｂｃ同士の間隔、さらに言い換えれば４枚の立設パネル１０、２０、３０及び４０のそれぞれの下端部Ｐｂｏのうちの隣接する外側下端部Ｐｂоの幅に等しい長さである。これにより、板状脚部５０Ｂは、隣接する切欠きＰｂｃに一括して緊密状態に差し込まれることができるとともに、隣接する切欠きＰｂｃに一括して差し込まれることによって、４枚の立設パネル１０、２０、３０及び４０のそれぞれの内側下端部Ｐｂｉの下端面と底壁部５４の底面とが互いに同じ高さ位置となり、内側下端部Ｐｂｉの下端面と相まって４枚の立設パネル１０、２０、３０及び４０の荷重を支えることができる。
【００３８】
次に、対面式飛沫シールド１が様々な形態で使用されることが可能であることを説明する。
【００３９】
対面式飛沫シールド１は、図６に示すように、４枚の立設パネル１０、２０、３０及び４０が全て厚み方向に重なり合っている状態、すなわち完全折畳状態において、使用者（不図示）と対面者（不図示）との間に配置されて、使用されることができる。対面式飛沫シールド１のこの状態を、第１折畳状態とする。対面式飛沫シールド１は、完全折畳状態（第１折畳状態）において、４枚の立設パネル１０、２０、３０及び４０の全ての切欠きＰｂｃが厚み方向に互いに連通している状態となる。そして、この状態において、連通している各切欠きＰｂｃに板状脚部５０が一括して緊密に差し込まれることができる。これにより、完全折畳状態（第１折畳状態）にある対面式飛沫シールド１であっても、対面する使用者と対面者との間に配置されて空間を仕切りながら安定して起立することができる。
【００４０】
完全折畳状態にある対面式飛沫シールド１では、持ち運びが容易となる。しかも、対面する相手との間に立設パネル１０、２０、３０、４０が介在すると、声などの音の伝搬の悪化が懸念されるが、透明シートＳ１、Ｓ２、Ｓ３、Ｓ４が薄膜フィルムから構成されているので、薄膜フィルムを通じて声などの音を支障なく伝えることができ、相手との間で円滑に会話することができる。
【００４１】
対面式飛沫シールド１は、図７に示すように、４枚の立設パネル１０、２０、３０及び４０のうち、第１の折曲部Ｆ１における折り曲げ角度（第１の立設パネル１０と第２の立設パネル２０との相対角度）が１８０度となることで第１の立設パネル１０と第２の立設パネル２０とが厚み方向に重なり合って折り畳まれ、第２の立設パネル２０と第３の立設パネル３０とが幅方向に一直線状に展開し、第３の折曲部Ｆ３における折り曲げ角度（第３の立設パネル３０と第４の立設パネル４０との相対角度）が１８０度となることで第３の立設パネル３０と第４の立設パネル４０とが厚み方向に重なり合って折り畳まれている状態において、隣り合う二人の使用者と隣り合う二人の対面者との間に配置されて、使用されることができる。対面式飛沫シールド１のこの状態を、第２折畳状態とする。対面式飛沫シールド１は、第２折畳状態において、第１の立設パネル１０及び第２の立設パネル２０の切欠きＰｂｃが互いに連通している状態となり、第３の立設パネル３０及び第４の立設パネル４０の切欠きＰｂｃが互いに連通している状態となっている。そして、この状態において、連通している各切欠きＰｂｃに板状脚部５０、５０Ｂが一括して緊密に差し込まれることができる。これにより、第２折畳状態にある対面式飛沫シールド１であっても、対面し隣り合う二人ずつの間に配置されて空間を仕切りながら安定して起立することができる。
【００４２】
対面式飛沫シールド１は、図８に示すように、４枚の立設パネル１０、２０、３０及び４０が全て幅方向に一直線状に並ぶように展開している状態、すなわち完全展開状態において、隣り合う四人の使用者と隣り合う四人の対面者との間に配置されて、使用されることができる。対面式飛沫シールド１のこの状態を、第１展開状態とする。対面式飛沫シールド１は、第１展開状態において、４枚の立設パネル１０、２０、３０及び４０のそれぞれの切欠きＰｂｃに板状脚部５０、５０Ｂが緊密に差し込まれることができる。これにより、完全展開状態（第１展開状態）にある対面式飛沫シールド１であっても、対面し隣り合う四人ずつの間に配置されて空間を仕切りながら安定して起立することができる。
【００４３】
ここで、板状脚部５０ｂを用いることにより４枚の立設パネル１０、２０、３０及び４０が安定して起立する点について詳細に説明すると、４枚の立設パネル１０、２０、３０及び４０のそれぞれの下端部Ｐｂについて、内側下端部Ｐｂｉの下端面は設置面に接することができ４枚の立設パネル１０、２０、３０及び４０の荷重を支えるとともに、外側下端部Ｐｂоの下端面が板状脚部５０Ｂの底壁部５４の上面に接することにより、板状脚部５０ｂによって外側下端部Ｐｂｏは当該荷重を支えることができる。これにより、外側下端部Ｐｂоの下面の高さ位置が内側下端部Ｐｂｉの下面の高さ位置よりも若干高くなっていても、板状脚部５０Ｂを用いることにより、４枚の立設パネル１０、２０、３０及び４０は、安定して起立することができる。さらに、板状脚部５０Ｂの縦壁部５３が立設パネルの切欠きＰｂｃに差し込まれると同時に、立設パネルの下端部Ｐｂが板状脚部５０Ｂの切欠き５３ｃに差し込まれることにより、板状脚部５０Ｂと４枚の立設パネル１０、２０、３０及び４０とは、互いに対して設置面方向に位置ずれが生じることを防止されており、起立状態にある４枚の立設パネル１０、２０、３０及び４０の安定性がより向上している。
【００４４】
対面式飛沫シールド１は、図９に示すように、４枚の立設パネル１０、２０、３０及び４０がそれぞれ第１の折曲部Ｆ１、第２の折曲部Ｆ２及び第３の折曲部Ｆ３によって互いに相対角度を形成しながら蛇腹状に折れ曲がるように展開している状態（平面視においてＷ字状に展開している状態）において、隣り合う数人の使用者と隣り合う数人の対面者との間に配置されて、使用されることができる。対面式飛沫シールド１のこの状態を、第２展開状態とする。対面式飛沫シールド１は、第２展開状態において、起立するために必ずしも板状脚部５０を必要としない。したがって、第２展開状態にある対面式飛沫シールド１であっても、対面し隣り合う数人ずつの間に配置されて空間を仕切りながら安定して起立することができる。
【００４５】
対面式飛沫シールド１は、図１０に示すように、第１の折曲部Ｆ１における折り曲げ角度が直角となることによって第１の立設パネル１０と第２の立設パネル２０とが相対角度を直角とするように展開し、第２の立設パネル２０と第３の立設パネル３０とが幅方向に一直線状に並ぶように展開し、第３の折曲部Ｆ３における折り曲げ角度が直角となることによって第３の立設パネル３０と第４の立設パネル４０とが相対角度を直角とするように展開している状態（平面視においてコ字状に展開している状態）において、使用者と対面者との間に配置されて、使用されることができる。対面式飛沫シールド１のこの状態を、第３展開状態とする。対面式飛沫シールド１は、第３展開状態において、図７の第２折畳状態のときよりも、より効果的に飛沫の拡散を抑止することができる。なぜなら、対面式飛沫シールド１の使用者の側面側からの飛沫を第１の立設パネル１０及び第４の立設パネル４０によって抑制することができるからである。対面式飛沫シールド１は、第３展開状態において、起立するために必ずしも板状脚部５０を必要としない。したがって、第３展開状態にある対面式飛沫シールド１であっても、対面する使用者と対面者との間に配置されて空間を仕切りながら安定して起立することができる。
【００４６】
対面式飛沫シールド１は、図示されていないが、第１の折曲部Ｆ１における折り曲げ角度が直角となることによって第１の立設パネル１０と第２の立設パネル２０とが相対角度を直角とするように展開し、第２の立設パネル２０と第３の立設パネル３０と第４の立設パネル４０とが幅方向に一直線状に並ぶように展開している状態（平面視においてＬ字状に展開している状態）において、隣り合う３人の使用者と隣り合う３人の対面者との間に配置されて、使用されることができる。対面式飛沫シールド１のこの状態を、第４展開状態とする。対面式飛沫シールド１は、第４展開状態において、起立するために必ずしも板状脚部５０を必要としない。第４展開状態にある対面式飛沫シールド１であっても、対面し隣り合う３人ずつの間に配置されて空間を仕切りながら安定して起立することができる。
【００４７】
本実施の形態に係る対面式飛沫シールド１の作用効果を説明する。
【００４８】
対面式飛沫シールド１によれば、上記で説明した様々な使用状態のように、仕切る範囲に応じて各立設パネルを折畳状態と展開状態とに切り換えて使用することができ、適切な範囲で空間を仕切ることができる。このため、対面時等における飛沫の飛散を効果的に抑制することができるとともに、４枚の立設パネル１０、２０、３０及び４０を完全折畳状態として収納することにより嵩張らずコンパクトに収納することができる。また、４枚の立設パネル１０、２０、３０及び４０はそれぞれ、紙製シートから構成されるとともに窓部を有するパネル本体Ｐ１、Ｐ２、Ｐ３、Ｐ４と、透明シートＳ１、Ｓ２、Ｓ３、Ｓ４とを具備するので、軽量に構成することができ、持ち運びの利便性が向上する。さらに、パネル本体Ｐ１、Ｐ２、Ｐ３、Ｐ４は窓部Ｐｗを有するので、視界も担保することができる。しかも、この窓部Ｐｗの外縁は、折畳状態において互いに重なるので、４枚の立設パネル１０、２０、３０及び４０を完全折畳状態で使用する場合にでも窓部Ｐｗの機能を低下させることなく、適切な視界を保つことができる。
【００４９】
また、対面式飛沫シールド１によれば、４枚の立設パネル１０、２０、３０及び４０を完全折畳状態で使用する場合にでもその他の折畳状態で使用する場合にでも、板状脚部５０を各切欠きＰｂｃに一括して緊密に差し込むことができる。このため、この対面式飛沫シールド１においては、折畳状態においても板状脚部５０を利用することにより４枚の立設パネル１０、２０、３０及び４０を安定して起立させることができ、飛沫の飛散をより効果的に抑制することができる。加えて、切欠きＰｂｃに板状脚部５０が緊密状態に差し込まれることにより、各パネル本体Ｐ１、Ｐ２、Ｐ３、Ｐ４が折畳状態から不測に展開状態に移行することを抑制することができ、４枚の立設パネル１０、２０、３０及び４０の折畳状態を安定して保持することができる。
【００５０】
また、対面式飛沫シールド１によれば、パネル本体Ｐ１、Ｐ２、Ｐ３、Ｐ４は、連通切欠きＰｂａを通じて書類などの物品のやりとりを対面する相手との間で行うことができる。このため、この対面式飛沫シールド１においては、飛沫の飛散を適切に抑制しつつ、対面する相手との物品のやり取りを行うことができ、利便性の向上を図ることができる。しかも、この連通切欠きＰｂａの外縁は折畳状態において互いに重なるので、立設パネル１０、２０、３０、４０を折畳状態で使用する場合にでも、連通切欠きＰｂａの機能を低下させることなく、物品のやりとりを行うことができる。
【００５１】
また、対面式飛沫シールド１によれば、透明シートＳ１、Ｓ２、Ｓ３、Ｓ４は、表裏一対のユニットパネルＰｕの間に接着されているので、透明シートＳ１、Ｓ２、Ｓ３、Ｓ４が窓部Ｐｗにおいてのみ露出するような形態となり、対面式飛沫シールド１としての見栄えが良好となる。また、各透明シートＳ１、Ｓ２、Ｓ３、Ｓ４は、折畳状態において、ユニットパネルＰｕの厚みに相当する間隔をおいて配置されることとなるので、互いに接触することがない。
【００５２】
次に、図示されていないが、本考案に含まれる変形例を説明する。
【００５３】
透明シートは、パネル本体が含む表裏一体のユニットパネルＰｕの間に配設されているものに限定されず、弱粘着性を有し、パネル本体の一方面における窓部の周縁部に着脱可能に接着されているものであってもよい。このように構成すれば、透明シートは、飛沫や汚れなどが付着して汚染された場合でも、容易に取り替えられることができる。
【００５４】
上記の実施の形態の説明では立設パネルの枚数が４枚であることを前提として説明を行ったが、立設パネルの枚数は、２枚以上であればよく、限定されるものではない。
【００５５】
また、上記の使用状態の説明では６つの形態の説明を行ったが、対面式飛沫シールドの使用形態はこれらに限定されず、各折曲部により各立設パネルの相対角度を変化させることにより、対面式飛沫シールドは様々な形態で使用されてもよい。
【００５６】
また、立設パネルのパネル本体又はその窓部の正面形状が矩形状であることを前提として説明を行ったが、矩形状に限定されるものではなく、例えば、多角形状や円形状であってもよい。パネル本体の正面形状が円形状である場合、切欠き又は連通切欠きは、円形状の最下端部に設けられていることが好ましい。
【００５７】
また、パネル本体に設けられている切欠き又は連通切欠きは、本考案に必須の構成要素ではなく、さらに、切欠きに差し込み可能な板状脚部は、本考案に必須の構成要素ではない。
【００５８】
また、上記の実施の形態の説明では、パネル本体の下端部が有する外側下端部の下端面の高さが内側下端部の下端面の高さよりも若干大きいことを説明したが、外側下端部と内側下端部との相互の高さの異なりは本考案に必須の構成要素ではなく、外側下端部の下端面と内側下端部の下端面とは互いに同じ高さ位置に設けられていてもよい。この場合、完全展開状態にある対面式飛沫シールドにおいて、板状脚部５０を切欠きＰｂｃに差し込むことにより、４枚の立設パネルを安定して起立させることができる。もちろん、この場合においても、折曲部Ｆ１、Ｆ２、Ｆ３を挟むように隣接する切欠きＰｂｃに板状脚部５０Ｂが一括して挿入されてもよい。板状脚部５０Ｂが挿入される場合には、４枚の立設パネルの内側下端部の下方には隙間が形成されるので、内側下端部に連通切欠きを設けなくても、前記隙間を通じて物品のやり取りが可能となる。
【００５９】
また、パネル本体に設けられた切欠きの高さは、板状脚部の高さ（下辺部から上辺部までの高さ）と同じである場合に限定されず、板状脚部の高さよりも小さくてもよい。板状脚部の高さが切欠きの高さよりも大きい場合には、パネル本体の下端部の下面と設置面との間に隙間が形成されるので、パネル本体の下端部に連通切欠きを設けなくても、前記隙間を通じて物品のやり取りが可能となる。
【００６０】
また、上記の実施の形態の説明では、板状脚部５０Ｂの縦壁部５３に切欠き５３ｃが設けられている場合を説明したが、板状脚部５０、５０Ａについても、上辺部から下方に切り欠かれて形成された切欠きが設けられていてもよい。
【００６１】
また、透明シートは、薄膜フィルムから構成されていることが好ましいが、これに限定されるものではなく、パネル本体が有する窓部を閉塞するのに必要なシート状のものであってもよい。
【００６２】
また、パネル本体は、表裏一体のユニットパネルＰｕからなるものに限定されず、一枚のパネル状部材例えば段ボールシートからなるものであってもよいし、複数枚のパネル状部材からなるものであってもよい。
【００６３】
また、立設パネルの折曲部は、パネル本体に高さ方向に切れ目が入れられて形成されているものに限定されず、例えば、蝶番により構成されるものであってもよい。また、上記の実施の形態の説明では、立設パネルの各折曲部における折れ曲がり方が山折り及び谷折りのうちのいずれか一方であるとして説明を行ったが、折曲部は厚み方向に対していずれの側にも折れ曲がることを可能とするもの、すなわち折曲部における折れ曲がり方が山折りも谷折りも可能となるものであってもよい。
【符号の説明】
【００６４】
１                          対面式飛沫シールド
１０                        第１の立設パネル
２０                        第２の立設パネル
３０                        第３の立設パネル
４０                        第４の立設パネル
５０、５０Ａ、５０Ｂ        板状脚部
５０ｆ                      板状脚部の折曲部
５１                        下辺部
５２                        上辺部
５３                        縦壁部
５４                        底壁部
Ｐ１                        第１のパネル本体
Ｐ２                        第２のパネル本体
Ｐ３                        第３のパネル本体
Ｐ４                        第４のパネル本体
Ｐｆ                        フレーム部
Ｐｆ１                      第１のフレーム片部
Ｐｆ２                      第２のフレーム片部
Ｐｆ３                      第３のフレーム片部
Ｐｆ４                      第４のフレーム片部
Ｐｂ                        下端部
Ｐｂａ                      連通切欠き
Ｐｂｃ                      切欠き
Ｐｕ                        ユニットパネル
Ｐｗ                        窓部
Ｓ１                        第１の透明シート
Ｓ２                        第２の透明シート
Ｓ３                        第３の透明シート
Ｓ４                        第４の透明シート
Ｆ１                        第１の折曲部
Ｆ２                        第２の折曲部
Ｆ３                        第３の折曲部
【図１】
0003230372.tif 000003
【図２】
0003230372.tif 000004
【図３】
0003230372.tif 000005
【図４】
0003230372.tif 000006
【図５】
0003230372.tif 000007
【図６】
0003230372.tif 000008
【図７】
0003230372.tif 000009
【図８】
0003230372.tif 000010
【図９】
0003230372.tif 000011
【図１０】
0003230372.tif 000012